(57)【要約】      （修正有）【課題】隣り合う２つのレンズの遮光構造を簡単にし、レンズモジュールの組立を容易にしたうえで光学性能を向上させる。【解決手段】レンズは本体部１と、本体部から外へ延在し頂面２１及び頂面に対向して設置された底面２２を有する周辺部２を備える。レンズは周辺部の内部に嵌設された第１の収容キャビティ３１と、第１の貫通孔４１と、第１の孔塞ぎ部５１とを更に備え、第１の収容キャビティは頂面における底面に近い一方の側に位置し、第１の収容キャビティ内に黒色材料６が充填され、第１の貫通孔は頂面を貫通するとともに、第１の収容キャビティに連通し、第１の孔塞ぎ部は第１の貫通孔を密封するように第１の貫通孔に覆設されている。【選択図】図２
2018072796.tif 000002
【特許請求の範囲】
【請求項１】
結像領域として集光するための本体部と、前記本体部から外へ延在する周辺部とを備えるレンズであって、
前記周辺部は、頂面及び前記頂面に対向して設置された底面を有し、
前記レンズは、前記周辺部の内部に嵌設された第１の収容キャビティと、第１の貫通孔と、第１の孔塞ぎ部とを更に備え、前記第１の収容キャビティは、前記頂面における、前記底面に近い一方の側に位置し、前記第１の収容キャビティ内に黒色材料が充填されており、前記第１の貫通孔は、前記頂面を貫通するとともに、前記第１の収容キャビティに連通し、前記第１の孔塞ぎ部は、前記第１の貫通孔を密封するように前記第１の貫通孔に覆設されていることを特徴とするレンズ。
【請求項２】
前記レンズは、前記周辺部の内部に嵌設された第２の収容キャビティと、第２の貫通孔と、第２の孔塞ぎ部とを更に備え、前記第２の収容キャビティは、前記底面における、前記頂面に近い一方の側に位置し、前記第２の収容キャビティ内に黒色材料が充填されており、前記第２の貫通孔は、前記底面を貫通するとともに、前記第２の収容キャビティに連通し、前記第２の孔塞ぎ部は、前記第２の貫通孔を密封するように前記第２の貫通孔に覆設されており、前記第２の収容キャビティと前記第１の収容キャビティは、互いに連通しないことを特徴とする請求項1に記載のレンズ。
【請求項３】
前記黒色材料は、黒色液体であることを特徴とする請求項２に記載のレンズ。
【請求項４】
前記黒色材料は、グラフェン液体であることを特徴とする請求項３に記載のレンズ。
【請求項５】
前記本体部は、円弧状構造であることを特徴とする請求項４に記載のレンズ。
【請求項６】
前記第１の収容キャビティ及び前記第２の収容キャビティは、何れもリング状構造であることを特徴とする請求項５に記載のレンズ。
【請求項７】
レンズの加工方法であって、当該方法は、
結像領域として集光するための本体部と、前記本体部から外へ延在し、頂面及び前記頂面に対向して設置された底面を有する周辺部とを備えるレンズを供給するステップと、
前記周辺部の内部に第１の収容キャビティを開設し、前記第１の収容キャビティが前記頂面における、前記底面に近い一方の側又は前記底面における、前記頂面に近い一方の側に位置するようにする、収容キャビティを開設するステップと、
前記頂面又は前記底面に第１の貫通孔を開設し、前記第１の貫通孔が前記第１の収容キャビティに連通するようにし、前記第１の貫通孔により前記第１の収容キャビティ内に黒色材料を注入する、開孔して材料を注入するステップと、
前記第１の貫通孔を密封する、孔を密封するステップと、
を備えることを特徴とするレンズの加工方法。
【請求項８】
前記収容キャビティを開設するステップにおいては、前記周辺部の内部に第２の収容キャビティを開設し、前記第１の収容キャビティと前記第２の収容キャビティがそれぞれ前記頂面及び前記底面の隣り合う両側に位置するようにするステップを更に備え、前記開孔して材料を注入するステップにおいては、第２の貫通孔を開設し、前記第１の貫通孔と前記第２の貫通孔がそれぞれ前記頂面と前記底面を貫通し、前記前記第２の貫通孔が前記第２の収容キャビティに連通するようにし、前記第２の貫通孔により前記第２の収容キャビティに黒色材料を注入するステップを更に備え、前記孔を密封するステップにおいては、前記第２の貫通孔を密封するステップを更に備えることを特徴とする請求項７に記載のレンズの加工方法。
【請求項９】
前記黒色材料は、グラフェン液体であることを特徴とする請求項７に記載のレンズの加工方法。
【請求項１０】
レンズモジュールであって、当該レンズモジュールは、レンズ鏡筒と、前記レンズ鏡筒内に収納された請求項１〜６の何れか１項に記載のレンズ又は請求項７〜９の何れか１項に記載の加工方法により加工されたレンズとを備えることを特徴とするレンズモジュール。
【発明の詳細な説明】
【技術分野】
【０００１】
本発明は、光学結像分野に関し、特に、撮影製品分野に用いられるレンズ、レンズの加工方法及びレンズモジュールに関するものである。
【背景技術】
【０００２】
科学技術が絶えずに発展していることに伴い、電子デバイスが絶えずにスマート化へ進化しており、ユーザーが、随時に撮影できるニーズを満たすために、デジタルカメラの他、携帯型電子デバイス、例えばタブレットＰＣ、携帯電話等にも、撮影機能付きのレンズモジュールが配置されるようになっている。
【０００３】
関連技術におけるレンズモジュールは、レンズ鏡筒と、前記レンズ鏡筒内に設置されたレンズと、隣り合う２つのレンズの間に挟まれた遮光シート又は遮光板と、下層のレンズと前記レンズ鏡筒との間に設置された押えリングとを備え、接着剤を塗布する方法で前記押えリングを前記レンズ鏡筒に固定することにより、前記レンズを固定することができる。
【０００４】
しかしながら、関連技術においては、前記レンズモジュールにおける隣り合う２つのレンズの間に遮光シート又は遮光板を設置することで遮光する場合、当該構造によって、前記レンズモジュールの部材が増え、組立が複雑になり、且つ効率が低下してしまう。
【０００５】
従って、上述した問題を解決するために、新型のレンズ、レンズの加工方法及びレンズモジュールを提供する必要がある。
【発明の概要】
【発明が解決しようとする課題】
【０００６】
本発明が解決しようとする技術課題は、光学性能がより優れるレンズ、その加工方法及び光学性能が良く、組立効率の良いレンズモジュールを提供することである。
【課題を解決するための手段】
【０００７】
上述した技術課題を解決するために、本発明によりレンズが提供され、当該レンズは、結像領域として集光するための本体部と、前記本体部から外へ延在する周辺部とを備え、前記周辺部は、頂面、及び前記頂面に対向して設置された底面を有し、前記レンズは、前記周辺部の内部に嵌設された第１の収容キャビティと、第１の貫通孔と、第１の孔塞ぎ部とを更に備え、前記第１の収容キャビティは、前記頂面における、前記底面に近い一方の側に位置し、前記第１の収容キャビティ内に黒色材料が充填されており、前記第１の貫通孔は、前記頂面を貫通するとともに、前記第１の収容キャビティに連通し、前記第１の孔塞ぎ部は、前記第１の貫通孔を密封するように前記第１の貫通孔に覆設されている。
【０００８】
好ましくは、前記レンズは、前記周辺部の内部に嵌設された第２の収容キャビティと、第２の貫通孔と、第２の孔塞ぎ部とを更に備え、前記第２の収容キャビティは、前記底面における、前記頂面に近い一方の側に位置し、前記第２の収容キャビティ内に黒色材料が充填されており、前記第２の貫通孔は、前記底面を貫通するとともに、前記第２の収容キャビティに連通し、前記第２の孔塞ぎ部は、前記第２の貫通孔を密封するように前記第２の貫通孔に覆設されており、前記第２の収容キャビティと前記第１の収容キャビティは、互いに連通しない。
【０００９】
好ましくは、前記黒色材料は、黒色液体である。
【００１０】
好ましくは、前記黒色材料は、グラフェン液体である。
【００１１】
好ましくは、前記本体部は、円弧状構造である。
【００１２】
好ましくは、前記第１の収容キャビティ及び前記第２の収容キャビティは、何れもリング状構造である。
【００１３】
本発明により、前記レンズの加工方法が提供され、当該方法は、
結像領域として集光するための本体部と、前記本体部から外へ延在し、頂面及び前記頂面に対向して設置された底面を有する周辺部とを備えるレンズを供給するステップと、
前記周辺部の内部に第１の収容キャビティを開設し、前記第１の収容キャビティが前記頂面における、前記底面に近い一方の側又は底面における、前記頂面に近い一方の側に位置するようにする、収容キャビティを開設するステップと、
前記頂面又は前記底面に第１の貫通孔を開設し、前記第１の貫通孔が前記第１の収容キャビティに連通するようにし、前記第１の貫通孔により前記第１の収容キャビティ内に黒色材料を注入する、開孔して材料を注入するステップと、
前記第１の貫通孔を密封する、孔を密封するステップとを備える。
【００１４】
好ましくは、前記収容キャビティを開設するステップにおいては、前記周辺部の内部に第２の収容キャビティを開設し、前記第１の収容キャビティと前記第２の収容キャビティがそれぞれ前記頂面及び前記底面の隣り合う両側に位置するようにするステップを更に備え、前記開孔して材料を注入するステップにおいては、第２の貫通孔を開設し、前記第１の貫通孔と前記第２の貫通孔がそれぞれ前記頂面と前記底面を貫通し、前記前記第２の貫通孔が前記第２の収容キャビティに連通するようにし、前記第２の貫通孔により前記第２の収容キャビティに黒色材料を注入するステップを更に備え、前記孔を密封するステップにおいては、前記第２の貫通孔を密封するステップを更に備える。
【００１５】
好ましくは、前記黒色材料は、グラフェン液体である。
【００１６】
本発明は、レンズ鏡筒と、前記レンズ鏡筒内に収納された前記レンズとを備えるレンズモジュールも提供する。
【発明の効果】
【００１７】
従来技術に比べ、本発明に係るレンズは、次のような有益な効果を有する。本発明に係るレンズにおいて、その自身構造の周辺部の内側に前記第１の収容キャビティ及び前記第２の収容キャビティが開設され、前記第１の収容キャビティ及び前記第２の収容キャビティ内に黒色材料を注入して密封することにより、別途に遮光シートを設置する必要がなく、前記レンズ自身で遮光をすることができる。前記レンズが本発明により提供された前記レンズモジュールに配置された場合、遮光シートを設置する必要がないため、前記レンズモジュールの部材数が減り、組立工程が簡潔化され、組立の効率が向上し、且つ光学性能がより優れる。本発明に係るレンズの加工方法は、簡単であり、この方法により出来上がったレンズは、その光学性能がより優れる。
【図面の簡単な説明】
【００１８】
【図１】本発明に係るレンズの構造を示す模式図である。
【図２】図１のA−A線における断面図である。
【図３】本発明に係るレンズの加工方法を示すフローチャートである。
【図４】本発明に係るレンズモジュールの構造を示す模式図（一枚のレンズを例とする）である。
【発明を実施するための形態】
【００１９】
以下、図面及び実施例を参照しながら、本発明について更に詳しく説明する。
【００２０】
図１〜２に示すように、本発明は、結像領域として集光するための本体部１と、前記本体部１から外へ延在する周辺部２、収容キャビティ３と、貫通孔４と、孔塞ぎ部５と、黒色材料６とを備えるレンズ１０を提供する。
【００２１】
前記本体部１は、円弧状構造であり、例えば、球面構造又は非球面構造である。
【００２２】
前記周辺部２は、頂面２１と、前記頂面２１に対向して設置された底面２２とを備える。
【００２３】
前記収容キャビティ３は、１つ設置されてもよいし、２つ設置されても良い。本実施形態においては、前記収容キャビティ３は、第１の収容キャビティ３１及び第２の収容キャビティ３２を備える。具体的には、前記第１の収容キャビティ３１及び前記第２の収容キャビティ３２は、何れもリング状構造であり、前記本体部１を取り囲むように設置されている。
【００２４】
なお、前記頂面２１及び前記底面２２は、それぞれ前記レンズ１０の物体側面及び像側面であると理解されても良い。
【００２５】
前記貫通孔４は、前記収容キャビティ３を外部に連通し、前記孔塞ぎ部５は、前記貫通孔４を密封するように用いられる。前記貫通孔４は、頂面２１及び底面２２上の任意の位置に設置されても良い。前記貫通孔４の数及び前記孔塞ぎ部５の数は、前記収容キャビティ３の数と一致しており、且つ前記孔塞ぎ部５は前記貫通孔４と嵌合されている。本実施形態において、前記貫通孔４の数及び前記孔塞ぎ部５の数は、何れも２つであり、即ち、第１の貫通孔４１と、第２の貫通孔４２と、第１の孔塞ぎ部５１と、第２の孔塞ぎ部５２とを備える。
【００２６】
具体的には、前記第１の収容キャビティ３１及び前記第２の収容キャビティ３２は、それぞれ前記周辺部２の内部に嵌嵌設され、前記第１の収容キャビティ３１は、前記頂面２１における、前記底面２２に近い一方の側に位置し、前記第２の収容キャビティ３２は、前記底面２２における、前記頂面２１に近い一方の側に位置する。当然ながら、両者の位置は、互換しても良い。
【００２７】
前記第１の貫通孔４１及び前記第２の貫通孔４２は、それぞれ前記頂面２１及び前記底面２２を貫通し、且つ、それぞれ前記第１の収容キャビティ３１及び前記第２の収容キャビティ３２に連通している。
【００２８】
前記第１の貫通孔４１及び前記第２の貫通孔４２により、それぞれ前記第１の収容キャビティ３１及び前記第２の収容キャビティ３２内に黒色材料６を充填することができる。前記レンズの遮光性能を良くするために、黒色材料６で前記第１の収容キャビティ３１及び前記第２の収容キャビティ３２内を充満する必要がある。
【００２９】
前記第１の孔塞ぎ部５１及び前記第２の孔塞ぎ部５２は、前記第１の貫通孔４１及び前記第２の貫通孔４２に嵌設されており、前記第１の貫通孔４１及び前記第２の貫通孔４２を密封するように用いられる。本実施形態において、前記孔塞ぎ部５は、これに限られるものではなく、接着剤又は他の密封部材であっても良く、前記第１の貫通孔４１及び前記第２の貫通孔４２を填塞し密封することができれば良い。
【００３０】
より好ましくは、前記本体部１、前記周辺部２、前記収容キャビティ３及び前記貫通孔４は、一体射出成形されている。
【００３１】
本実施形態において、便利に充填できるように、前記黒色材料６は、黒色液体であり、例えば、マイクロニードルヘッドにより前記収容キャビティ３内に前記黒色材料６を注入する。
【００３２】
前記黒色材料６は、遮光シートの代わりに、遮光する役割を果たし、TTL（光学の長さ）を減少させるとともに、前記レンズ１０を他の製品に用いる際の部材の数を減らし、組立の時間を節約することができる。
【００３３】
より好ましくは、前記黒色材料６は、グラフェン液体である。当然ながら、前記黒色材料６は、これに限られるものではなく、黒色インク又は黒色塗料等であっても良く、前記第１の収容キャビティ３１及び前記第２の収容キャビティ３２を充填して遮光効果を奏することができれば良い。
【００３４】
本実施形態において、より好ましくは、前記第１の収容キャビティ３１及び前記第２の収容キャビティ３２は、互いに連通しない。即ち、前記レンズ１０における、対向する両面には、何れも上述した方法で遮光構造が形成されており、遮光性能がより優れる。
【００３５】
本発明に係るレンズ１０が使用される際、別途に遮光シートを用意する必要がなく、レンズ自身で遮光効果を実現することができ、使用が便利であり、関連製品に組み立てられる際の組立部材の数が減少し、組立効率を向上させることができる。
【００３６】
図３は、本発明に係るレンズの加工方法を示すフローチャートである。本発明により上述したレンズの加工方法が提供され、当該方法は、下記ステップを備える。
ステップS１であって、レンズを供給し、前記レンズ１０は、結像領域として集光するための本体部１と、前記本体部から外へ延在する周辺部２とを備え、前記周辺部２は頂面２１及び前記頂面２１に対向して設置された底面２２を有する。
ステップS２であって、収容キャビティを開設する。前記周辺部２の内部に第１の収容キャビティ３１を開設し、前記第１の収容キャビティ３１が前記頂面２１における、前記底面２２に近い一方の側又は底面２２における、前記頂面２１に近い一方の側に位置するようにし、
前記収容キャビティ３が２つである場合、前記周辺部２の内部に第２の収容キャビティ３２を開設し、前記第１の収容キャビティ３１及び前記第２の収容キャビティ３２が、それぞれ前記頂面２１及び前記底面２２の隣り合う両側に位置するようにする必要がある。
ステップS３であって、開孔し、材料を注入する。前記頂面２１又は前記底面２２に第１の貫通孔４１を開設し、前記第１の貫通孔４１が前記第１の収容キャビティ３１に連通するようにし、前記第１の貫通孔４１により前記第１の収容キャビティ３１内に黒色材料６を注入する。
前記ステップS３において、ステップS２と同様に、前記収容キャビティ３が２つである場合、前記貫通孔４も、相応的に２つ開設し、即ち、さらに第２の貫通孔４２を開設し、前記第１の貫通孔４１及び前記第２の貫通孔４２が、それぞれ前記頂面２１及び前記底面２２を貫通し、且つ、前記第２の貫通孔４２が前記第２の収容キャビティ３２に連通するようにし、前記第２の貫通孔４２により前記第２の収容キャビティ３２内に黒色材料６を注入する。本ステップにおいて、黒色材料６は、グラフェン液体である。当然ながら、黒色材料は、これに限られるものではなく、黒色インク又は黒色塗料等であっても良く、遮光効果を奏することができれば良い。
ステップS４であって、孔を密封する。前記第１の貫通孔４１を密封する。
前記ステップS４において、前記ステップS２又は前記ステップS３と同様に、前記収容キャビティ３が２つであり、前記貫通孔４が２つである場合、前記第２の貫通孔４２を密封する必要がある。
【００３７】
図４は、本発明に係るレンズモジュールの構造を示す模式図である。本発明は、レンズ鏡筒２０と、前記レンズ鏡筒２０内に収納された前記レンズとを備えるレンズモジュール１００も提供する。なお、前記レンズは、上述した発明により提供された前記レンズ１０である。
【００３８】
従来技術に比べ、本発明に係るレンズは、次のような有益な効果有する。本発明に係るレンズにおいて、その自身構造の周辺部の内側に前記第１の収容キャビティ及び前記第２の収容キャビティが開設され、前記第１の収容キャビティ及び前記第２の収容キャビティ内に黒色材料を注入して密封することにより、別途に遮光シートを設置する必要がなく、前記レンズ自身で遮光効果を奏することができる。前記レンズが本発明に係る前記レンズモジュールに配置されている場合、遮光シートを設置する必要がないため、前記レンズモジュールの部材数が減り、組立工程が簡潔化され、組立の効率が向上し、且つ光学性能がより優れる。本発明に係るレンズの加工方法は、簡単であり、この方法により出来上がったレンズは、その光学性能がより優れる。
【００３９】
上述したのは本発明の実施例に過ぎず、本発明の特許請求の範囲を限定するものではなく、本発明の明細書及び図面内容に基づき、変更を行って得られた等価構造又は等価のフロー変換、又は他の関連する技術分野への直接又は間接運用は、いずれも同じ理由で本発明の特許保護範囲内に含まれる。
【図１】
2018072796.tif 000003
【図２】
2018072796.tif 000004
【図３】
2018072796.tif 000005
【図４】
2018072796.tif 000006